(57)【要約】【課題】  支柱２から落ちる危険がなく、さらに未使用時には支柱２と一体的に保管することによって紛失を防止するランタンハンガー１を提供することを目的とする。【解決手段】    地中に打ち込んで固定した支柱２の適所に設置され、基端に設けられた前記支柱２に固定する固定手段と、該固定手段に設けられた本体５と、該本体５の先端に設けられたランタンを掛止する掛止部24とを備えたランタンハンガーにおいて、前記固定手段が支柱に着脱自在に固定する嵌合部４であり、前記本体５を前記嵌合部４に回動自在に設けたことを特徴とする。【選択図】図１
0003103844.tif 000002
【実用新案登録請求の範囲】
【請求項１】
地中に打ち込んで固定した支柱の適所に設置され、基端に設けられた前記支柱に固定する固定手段と、該固定手段に設けられた本体と、該本体の先端に設けられたランタンを掛止する掛止部とを備えたランタンハンガーにおいて、前記固定手段が支柱に着脱自在に固定する嵌合部であり、前記本体を前記嵌合部に回動自在に設けたことを特徴とするランタンハンガー。
【請求項２】
前記嵌合部は、前記支柱を狭持する一対の腕部と一対の前記腕部を連結する背部とからなることを特徴とする請求項１記載のランタンハンガー。
【請求項３】
前記本体は、前記嵌合部に回動自在に固定する支軸と前記支柱表面に当接する当接部とからなる固定部と、該固定部に対し所定の角度で形成されたアームとを備えたことを特徴とする請求項１又は２記載のランタンハンガー。
【請求項４】
前記当接部に滑止部材を設けたことを特徴とする請求項３に記載のランタンハンガー。
【請求項５】
前記腕部に前記支柱と摺動するガイド部を設けたことを特徴とする請求項１乃至４いずれか１項記載のランタンハンガー。
【請求項６】
前記掛止部は前記アームの先端に設けられ、前記ランタンの把手を掛止する屈曲部と返り部と導入部とからなることを特徴とする請求項１乃至５いずれか１項記載のランタンハンガー。
【考案の詳細な説明】
【技術分野】
【０００１】
本考案は、テントなどの支柱にランタンを掛止しておくためのランタンハンガーに関するものである。
【背景技術】
【０００２】
従来、複数の支柱を地面に打ち込んで立設し、この支柱間にテントを被せ、このテントの端部を複数箇所において地面にロープ材により固定することによって形成されるタープテントが知られており、このタープテントの支柱にランタンを備える際に用いられるランタンハンガーとして、金属性の長尺部材において、一端に支柱に巻付け固定する螺旋状に形成した止着部を設け、他端にランタンを係止するための係止部を設けたランタンハンガーが既に公知となっている（例えば特許文献１）。
【特許文献１】特開平１１−１０３９９９号公報
【考案の開示】
【考案が解決しようとする課題】
【０００３】
しかしながら、上記した特許文献１においても、ランタンハンガーは止着部が支柱に巻付けられて、ランタンの自重により止着部に設けられた滑止部材と支柱との間に摩擦力が生じ、それによって固定されているのみであるので、外径の異なる支柱に柔軟に対応することが困難で、ランタンの自重によりランタンハンガーが落ち、それによりランタンが破損し火災事故に繋がるという懸念があった。また、ランタンハンガーは支柱から取り外し可能に固定されており、支柱に取り付けた状態では直角方向にランタンハンガーが突き出す格好となるので嵩張るため、使用後すなわち、テントを畳む際などには支柱から取り外され、支柱とは別体として保管されるものであるので、収納時や移動中にランタンハンガーが紛失するという懸念があった。
【０００４】
そこで、本考案は上記した問題点に鑑み、異なる外径の支柱にも対応でき、支柱から落ちる危険がなく、さらに未使用時には支柱と一体的に保管することによって紛失を防止できるランタンハンガーを提供することを目的とする。
【課題を解決するための手段】
【０００５】
上記目的を達成するために、本考案に係るランタンハンガーは、地中に打ち込んで固定した支柱の適所に設置され、基端に設けられた前記支柱に固定する固定手段と、該固定手段に設けられた本体と、該本体の先端に設けられたランタンを掛止する掛止部とを備えたランタンハンガーにおいて、前記固定手段が支柱に着脱自在に固定する嵌合部であり、前記本体を前記嵌合部に回動自在に設けたことを特徴とする。
【０００６】
ここで、前記嵌合部は、支柱を狭持する一対の腕部と前記一対の腕部を連結する背部とからなることが好ましい。
【０００７】
また、前記本体は、前記嵌合部に回動自在に固定する支軸と前記支柱表面に当接する当接部とからなる固定部と、該固定部に対し所定の角度で形成されたアームとを備えるのが好ましい。
【０００８】
また、前記当接部に滑止部材を設けるのが好ましい。
【０００９】
また、前記腕部に前記支柱と摺動するガイド部を設けるのが好ましい。
【００１０】
また、前記掛止部は前記アームの先端に設けられ、ランタンの把手を掛止する屈曲部と返り部と導入部とからなることとするのが好ましい。
【考案の効果】
【００１１】
本考案の請求項１記載のランタンハンガーによれば、本体を嵌合部に回動自在に設けたので、本体を支柱に沿わせておくことができ、不使用時に支柱と一体的に保管しておくことができるためランタンハンガーの紛失を予防できる。
【００１２】
また、請求項２に記載のランタンハンガーによれば、１対の腕部により支柱を狭持するので、着脱が容易で、しかも径が異なる支柱に対しても確実にランタンを保持できる。
【００１３】
また、請求項３に記載のランタンハンガーによれば、当接部が支柱表面に接することにより摩擦力が生じるので、強力にランタンを保持でき、さらに、ランタンの自重が大きくなればなるほど安定的に保持できる。また、アーム部を水平に保持するので、安定的にランタンを保持できる。
【００１４】
また、請求項４に記載のランタンハンガーによれば、滑止部材によって当接部と支柱表面との摩擦力がより大きくなるので、より強力にランタンを保持できる。
【００１５】
また、請求項５に記載のランタンハンガーによれば、腕部にガイド部を設けたので、容易に嵌合部を支柱に嵌合できる。
【００１６】
また、請求項６に記載のランタンハンガーによれば、本体先端に掛止部を設けたから、ランタンの吊り下げを確実に行なえ、さらに、風などによりランタンが揺れた場合でも不意の外れを防止できる。
【考案を実施するための最良の形態】
【００１７】
以下図面を参照して、本考案の好適な実施形態について説明する。図１は本考案によるランタンハンガーの一実施形態を示す斜視図であり、使用状態を示す図である。図２は嵌合部の構成図であり、（ａ）左側面図、（ｂ）正面図である。図３は本体の構成図であり、（ａ）左側面図、（ｂ）正面図である。
【００１８】
図１は、地中に打ち込まれた支柱２と、この支柱２にランタン３を吊り下げるためのランタンハンガー１とを示しており、ランタンハンガー１は、支柱２に着脱自在に固定する嵌合部４と、該嵌合部４に回動自在に設けた本体５とを備えている。
【００１９】
嵌合部４は、図２に示すように、支柱２を狭持する一対の腕部８と一対の前記腕部８を連結する背部９とからなる。背部９は、金属製からなる矩形の板材により、設置される支柱２よりやや小さい幅を有して構成され、上下端をそれぞれ折り返して把持部10を形成し、該把持部10において腕部８を把持し腕部と一体的に構成されている。
【００２０】
また、背部９の中間よりやや下方には、後述する本体５を回動自在に軸支するための湾曲部11が一体的に形成されており、湾曲部11は背部９の後方に外接する円弧状をなしており、湾曲部11と背部９との接続部は湾曲部11を構成する円弧の直径より小さい隙間12を有して形成されている。
【００２１】
腕部８は、金属製の円筒部材からなり、嵌合部４の上下方向に分割される１組の腕構成部15により構成される。１組の腕構成部15は同形状からなり、円筒部材のほぼ中間に前記背部９の幅と略同じ直線部からなる中間部13と、両端に垂直方向に曲げ起こされて形成された連結部14とを備え、該連結部14において腕構成部15の一方と他方とが熔接等により一体的に構成され、一対の腕部８を構成し、前記中間部13が背部９に形成された把持部10において把持され背部９と一体的に構成される。尚、連結部14にはガイド部16を設けてもよい。ガイド部16は、例えば腕部８を構成する円筒部材より線形の細いコイルバネでもよい。連結部14にガイド部16を設けることにより、連結部14を覆うことができるので、腕構成部15の端部13a等で手を切るなどの怪我を防止でき、さらに、嵌合部４を支柱２に設置する際には、ガイドとしての役割を果たすので嵌合を容易にでき、しかも端部13aが支柱２に直接触れないため端部13aで支柱２表面の傷つけることがない。
【００２２】
前記本体５は、図３に示すように、ステンレス鋼などの金属性円筒部材からなり、前記嵌合部４に軸支するための支軸21と、支柱２と当接する当接部22とからなる固定部６と、固定部６に対し所定の角度で形成されたアーム７と、このアーム７の先端に設けられたランタン３を掛止する略三角形状からなる掛止部24とを一体的に備え、掛止部24にランタン３を備えた場合に、当接部22は支柱２表面に当接してその摩擦力により支柱２に対し上下方向に固定し、また、アーム７は当接部が支柱に当接したときに略水平に保持されるように構成される。
【００２３】
支軸21は、本体５の一端を直角方向に曲げて形成され、コイルバネ26を介して前記湾曲部11に挿通し嵌合部４に回動自在に軸支される。コイルバネ26は隙間12より大きく、かつ、湾曲部11に遊挿される程度の外径を有し、内径は支軸21が遊挿される程度の大きさに形成され、全長は背部９の幅より少なくとも１巻分長く形成される。支軸21の先端は抜け防止のため図示しないストッパが形成されている。このストッパはコイルバネ26の内径より部分的に大きくなるように支軸21の先端を単に押し潰して形成してもよい。また、コイルバネ26は支軸21の先端側において突出する巻線を湾曲部11の内径より大きくなるように形成し、こうすることによって支軸21をコイルバネ26を介して回動自在に嵌合部４に軸支するとともに支軸21の抜け、外れを防止する。
【００２４】
このように、支軸21はコイルバネ26を介して嵌合部４に軸支されるので、湾曲部11と背部９との接続部に隙間12が生じていても、支軸21と湾曲部11との位置関係に関わらず本体５をスムーズに回動できる。
【００２５】
当接部22は、第１の直線部25aを介して支軸21と連続して形成され、上述の通り、掛止部24にランタン３を備えた場合に、支柱２表面に当接して摩擦力を生じるのに最も適した位置に支柱２の外形と略同形状に形成される。当接部22には摩擦力を増大させるための滑止部材27を設けてもよい。滑止部材27は弾力性のある素材からなり、例えば、塩化ビニルなどの樹脂製カバーでもよい。このように当接部22を滑止部材27で覆うことにより、ランタンハンガー１と支柱２との結束をより強化できるとともに、支柱２に本体５が直接当接しないため、支柱２を傷つけることがない。
【００２６】
アーム７は、第２の直線部と第２の直線部の先端に設けられた掛止部24とからなり、基端において固定部７に所定の角度Ａを有して連続して形成される。第２の直線部25bは、図３（ａ）に示すように、固定部７の端部を構成する当接部22の延長部22aが当接部22に対しほぼ直角下方に曲げ形成され、この延長部22aを介して第２の直線部25bが形成される。このとき第１の直線部25aと第２の直線部25bとがなす角をＡとよび、角度Ａは直角よりやや大きく、当接部22が支柱２に当接して固定されたときに、第２の直線部25bが略水平に保持される大きさに制限される。
【００２７】
前記掛止部24は、第２の直線部25bを介して当接部22と連続して形成され、本体５の他端を構成し、ランタン３の把手3aを掛止する屈曲部31と把手3aの外れを防ぐ返り部32と把手3aを掛止部24へと導く導入部33とから構成される。
【００２８】
屈曲部31は、本体５の他端を斜め下方に曲げた後約６０°の角度を有して曲げ起こされて形成される。さらに、折り返されて返り部32が形成されその先端において上方約６０°の角度を有して曲げ起こされ導入部33が形成され、第２の直線部25bとの間に導入通路34を形成する。尚、導入部33の先端には保護部材としてのキャップ35を設けてもよい。こうすることによって、ランタン３の把手3aが導入通路34を通って屈曲部31に掛止される際、先端で指を切るなどの怪我を防止できるとともに、把手3aを引っ掛りなく導入することができる。
【００２９】
このように掛止部24を構成したので、風などでランタン３が揺れた場合であっても返り部32を形成したので、把手3aが不意に外れることがなく、また、導入部33および導入通路34を設けたので、引っ掛ることなく把手3aを屈曲部31まで到達させることができ、容易にランタン３を掛止することができる。
【００３０】
次に本実施形態に係るランタンハンガー１の作用について図４を参照して説明する。
【００３１】
まず、ランタンハンガー１を支柱２に設置するには、支柱２に一対の腕部８を当て、背部９後方より矢印方向に力を加える。そうすると、腕部８は、ガイド部16により幅方向すなわち支柱２の直径方向に弾性変形しながら支柱へと差し込まれ、腕部８の幅長さが支柱２の直径を超えて変形したときに、把持部10が支柱２に当接する位置で腕部８が支柱２を狭持し、ランタンハンガー１が支柱２に設置される。このとき、本体５は、自重により支軸21を中心に下方へ回動し、当接部22が支柱２に自然に接触した位置において静止する。
【００３２】
この本体５にランタン３を掛止するには、ランタン３の把手3aを本体５に通し、把手3aを第２の直線部25bに沿わせて導入部33から導入通路34へと摺動し、屈曲部31に掛止することによって、ランタン３が吊り下げられる。このとき本体５は支軸21を中心としてランタン３の自重によりさらに下方へ回動して当接部22が支柱２に密着する。そうすると当接部22と支柱２との間に摩擦力が増していき、同時に、この当接部22を支点として、背部９には、湾曲部11を介して支軸21から支柱２方向、即ち図４（ａ）矢印方向に荷重がかかることによって、背部９が支柱２方向へ弾性変形して支柱２に当接し、背部９と当接部22とが支柱２を狭持し、当接部22がより支柱２に押し付けられて、当接部22においてより強力な摩擦力が生じ、この摩擦力によってランタンハンガー１が支柱２に対して固定される。このとき、第２の直線部25bはほぼ水平に保持される。
【００３３】
このように構成したので、吊り下げられるランタン３の自重が大きければ大きいほど当接部22における摩擦力は大きくなるので、より安定してランタンハンガー１を保持することができる。このとき、当接部22に滑止部材27を設けることにより、摩擦力をより増大させることができるので、より強力にランタンハンガー１を固定することができる。さらに、当接部22と背部９、および一対の腕部８により支柱４を狭持するから、異なる外径を有する支柱４にも適宜対応でき、ランタン３を保持できる。
【００３４】
次に、吊り下げられたランタン３を取り外す際の作用について説明する。把手3aを導入通路34とほぼ同じ高さまで持ち上げ、導入通路34へと移動させ第２の直線部25bまで引き出すことによって、本体５から取り外すことができる。このとき本体５はランタン３の自重による負荷が解かれるから、支軸21を中心としてランタン３を吊り下げる前とほぼ同じ位置まで上方へ回動して静止する。尚、ランタンハンガー１は、ランタン３による負荷がないため当接部22と支柱２との間に大きな摩擦力は生じていないものの、ランタンハンガー１は嵌合部４により上下方向においても保持される。
【００３５】
また、支柱２を地面から引き抜きテントを解体する際には、図４（ｂ）に示すように、本体５が支軸21を中心に上方へ回動し支柱２に沿わせることができるので、本体５部分が邪魔になることがないため、ランタンハンガー１を支柱２から取り外すことなく支柱２と一体的に収納しておくことができ、そのため、ランタンハンガー１の紛失を防止できる。
【００３６】
上記のように本実施形態においては請求項１に対応して、地中に打ち込んで固定した支柱２の適所に設置され、基端に設けられた前記支柱２に固定する固定手段と、該固定手段に設けられた本体５と、該本体５の先端に設けられたランタンを掛止する掛止部24とを備えたランタンハンガーにおいて、前記固定手段が支柱に着脱自在に固定する嵌合部４であり、前記本体５を前記嵌合部４に回動自在に設けたから、本体５を支柱２に沿わせておくことができ、不使用時に支柱２と一体的に保管しておくことができるためランタンハンガー１の紛失を予防できる。
【００３７】
また請求項２に対応して、前記嵌合部４は、支柱２を狭持する一対の腕部８と一対の前記腕部８を連結する背部９とからなるから、１対の腕部８により支柱２を狭持するので、着脱が容易で、しかも外径が異なる支柱にも柔軟に対応できるので、確実にランタン３を保持できる。
【００３８】
また請求項３に対応して、前記本体５は、前記嵌合部４に回動自在に固定する支軸21と支柱２表面に当接する当接部22とからなる固定部６と、該固定部６に対し所定の角度で形成されたアーム７とを備えたから、当接部22が支柱２表面に接することにより摩擦力が生じるので、強力にランタン３を保持でき、さらに、ランタン３の自重が大きくなればなるほど安定的に保持できる。また、アームは水平に保持されるので、より安定的にランタンを保持できる。
【００３９】
また請求項４に対応して、前記当接部22に滑止部材27を設けたから、滑止部材27によって当接部22と支柱２表面との摩擦力がより大きくなるので、より強力にランタン３を保持できる。
【００４０】
また請求項５に対応して、前記腕部８に前記支柱２と摺動するガイド部16を設けたから、腕部８にガイド部16を設けたので、容易に嵌合部４を支柱２に嵌合できる。
【００４１】
また請求項６に対応して、前記掛止部24は前記アーム７の先端に設けられ、ランタン３の把手2aを掛止する屈曲部31と返り部32と導入部33とからなるから、ランタン３の吊り下げを確実に行なえ、さらに、風などによりランタン３が揺れた場合でも不意の外れを防止できる。
【００４２】
本考案は、本実施形態に限定されるものではなく、本考案の要旨の範囲内で種々の変形実施が可能である。例えば、図面上支柱２は円管のものを例示したが、角管であってもよく、その場合にも当接部22は角管からなる支柱２の外形と略同形に形成されるとよい。
【図面の簡単な説明】
【００４３】
【図１】本考案によるランタンハンガーの一実施形態を示す斜視図であり、使用状態を示す図である。
【図２】同上、嵌合部の構成図であり、（ａ）左側面図、（ｂ）正面図である。
【図３】同上、本体の構成図であり、（ａ）左側面図、（ｂ）正面図である。
【図４】同上ランタンハンガーの左側面図であり、（ａ）使用状態、（ｂ）閉塞状態を示す図である。
【符号の説明】
【００４４】
１    ランタンハンガー
２    支柱
４    嵌合部
５    本体
６    固定部
７    アーム
８    腕部
９    背部
16    ガイド部
21    支軸
22    当接部
24    掛止部
27    滑止部材
31    屈曲部
32    返り部
33    導入部
【図１】
0003103844.tif 000003
【図２】
0003103844.tif 000004
【図３】
0003103844.tif 000005
【図４】
0003103844.tif 000006